【手続補正書】
【提出日】平成14年12月6日(2002.12.6)
【手続補正１】
【補正対象書類名】明細書
【補正対象項目名】特許請求の範囲
【補正方法】変更
【補正の内容】
【特許請求の範囲】
【請求項１】
通信ネットワークにおける課金情報の調整方法であって、
通信チャネルを確立するステップと、
課金用識別子を前記通信チャネルと関連づけるステップと、
トランスポート層内の第１のネットワーク・エレメントからアプリケーション層内の第２のネットワーク・エレメントへ前記課金用識別子を送信するステップと、を有することを特徴とする方法。
【請求項２】
請求項１に記載の方法において、前記第２のネットワーク・エレメントが、前記第２のネットワーク・エレメントにより収集される課金情報に前記課金用識別子を追加することを特徴とする方法。
【請求項３】
請求項１に記載の方法において、前記第１のネットワーク・エレメントが、前記課金用識別子を持つネットワーク・エレメントのアドレスを前記第２のネットワーク・エレメントへ送信することを特徴とする方法。
【請求項４】
請求項３に記載の方法において、前記第２のネットワーク・エレメントが、前記第２のネットワーク・エレメントにより収集される課金情報にネットワーク・エレメントの前記アドレスを追加することを特徴とする方法。
【請求項５】
請求項１または３に記載の方法において、前記第１のネットワーク・エレメントが前記課金用識別子を持つセキュリティ情報を前記第２のネットワーク・エレメントへ送信することを特徴とする方法。
【請求項６】
請求項５に記載の方法において、前記第２のネットワーク・エレメントが前記セキュリティ情報に対して前記課金用識別子を検証することを特徴とする方法。
【請求項７】
請求項１に記載の方法において、前記第２のネットワーク・エレメントが通信のエンドポイントへ向けて前記課金用識別子を送信することを特徴とする方法。
【請求項８】
請求項７に記載の方法において、前記第２のネットワーク・エレメントが、通信の前記エンドポイントへ向けて前記課金用識別子を持つセキュリティ情報を送信することを特徴とする方法。
【請求項９】
請求項７に記載の方法において、前記第２のネットワーク・エレメントが前記課金用識別子と共にネットワーク・エレメントのアドレスを通信の前記エンドポイントへ送信することを特徴とする方法。
【請求項１０】
請求項１に記載の方法において、前記第２のネットワーク・エレメントが、前記第２のネットワーク・エレメントにより収集される課金情報に前記第１のネットワーク・エレメントのアドレスを追加することを特徴とする方法。
【請求項１１】
通信ネットワークのトランスポート層とアプリケーション層間で情報を調整する方法であって、
第１のネットワーク・エレメントの前記アプリケーション層においてトランザクションを開始するステップと、
前記トランザクションに識別子を割り当てるステップと、
前記第１のネットワーク・エレメントの前記トランスポート層において通信チャネルを開始するステップと、
前記識別子を用いて前記通信チャネルを前記トランザクションと関連づけるステップと、を有することを特徴とする方法。
【請求項１２】
請求項１１に記載の方法において、前記識別子が前記アプリケーション層内の第２のネットワーク・エレメントへ転送されることを特徴とする方法。
【請求項１３】
請求項１２に記載の方法において、前記識別子がトランスポート層内の第３のネットワーク・エレメントと第４のネットワーク・エレメントとへ転送されることを特徴とする方法。
【請求項１４】
請求項１３に記載の方法において、前記トランスポート層内の前記第４のネットワーク・エレメントと前記第３のネットワーク・エレメントとにより、及び、前記アプリケーション層内の前記第２のネットワーク・エレメントにより作成された課金情報が、前記識別子と関連づけられることを特徴とする方法。
【請求項１５】
通信ネットワーク内のアプリケーション層とトランスポート層との間で情報を調整するシステムであって、
第１のネットワーク・エレメントの前記アプリケーション層でトランザクションを開始する手段と、
前記トランザクションに識別子を割り当てる手段と、
前記第１のネットワーク・エレメントの前記トランスポート層で通信チャネルを開始する手段と、
前記識別子を用いて前記通信チャネルを前記トランザクションと関連づける手段と、を有することを特徴とするシステム。
【請求項１６】
通信ネットワークにおける課金情報の調整方法であって、
通信接続を確立するステップと、
第１のネットワーク・エレメントにおいてグローバルに一意の課金用識別子を作成し、前記グローバルに一意の課金用識別子を前記通信接続と関連づけるステップと、
前記第１のネットワーク・エレメントから第２のネットワーク・エレメントへ前記グローバルに一意の課金用識別子を送信するステップと、を有することを特徴とする方法。
【請求項１７】
請求項１６に記載の方法において、前記グローバルに一意の課金用識別子を使用して、前記第２のネットワーク・エレメントが課金情報を収集することを特徴とする方法。
【請求項１８】
請求項１６に記載の方法において、前記グローバルに一意の課金用識別子が前記第１のネットワーク・エレメントのアドレスを含むことを特徴とする方法。
【請求項１９】
通信ネットワークのトランスポート層とアプリケーション層間で情報を調整する方法であって、
第１のネットワーク・エレメントの前記アプリケーション層でトランザクションを開始するステップと、
前記トランザクションの範囲内の各通信接続にタプルまたはタプル・ペアを割り当てるステップと、
前記第１のネットワーク・エレメントの前記トランスポート層で少なくとも１つの通信接続を開始するステップと、
前記タプルまたはタプル・ペアを用いて前記少なくとも１つの通信接続を前記トランザクションと関連づけるステップと、を有することを特徴とする方法。
【請求項２０】
請求項１９に記載の方法において、前記アプリケーション層内の第２のネットワーク・エレメントへ前記タプルまたはタプル・ペアを転送することを特徴とする方法。
【請求項２１】
請求項２０に記載の方法において、トランスポート層内の第３のネットワーク・エレメントと第４のネットワーク・エレメントとへ前記タプルまたはタプル・ペアを転送することを特徴とする方法。
【請求項２２】
請求項２１に記載の方法において、前記トランスポート層内の前記第４のネットワーク・エレメントと前記第３のネットワーク・エレメントとにより、及び、前記アプリケーション層内の前記第２のネットワーク・エレメントにより作成された課金情報を前記タプルまたはタプル・ペアと関連づけることを特徴とする方法。
【請求項２３】
請求項１９に記載の方法において、前記タプルがトランザクション専用メディア接続の宛先ＩＰアドレスとポート情報とを含むことを特徴とする方法。
【請求項２４】
通信ネットワーク内のアプリケーション層とトランスポート層との間で情報を調整するシステムであって、
第１のネットワーク・エレメントの前記アプリケーション層でトランザクションを開始する手段と、
前記トランザクションにタプルまたはタプル・ペアを割り当てる手段と、
前記第１のネットワーク・エレメントの前記トランスポート層で少なくとも１つの通信接続を開始する手段と、
前記タプルまたはタプル・ペアを用いて前記少なくとも１つの通信接続を前記トランザクションと関連づける手段と、を有することを特徴とするシステム。